(57)【要約】【課題】除湿効率が良く暖房や衣類乾燥にも利用でき、除湿性能が安定した除湿装置を提供する。【解決手段】除湿装置の本体１０１内に、冷凍サイクルを形成する圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、本体１０１には吸込口１１２と吹出口１１３を開口し、送風ファン１０９の運転によって、吸込口１１２から除湿対象空気１１６と冷却対象空気２を本体１０１内に供給し、放熱器１０３の温度を検知する温度センサ１２と吸熱器１１５の温度を検出する温度センサ１３を設け、この温度サンサの温度データに基づき、制御装置３が加熱手段１の加熱量を利用目的に応じて適切に制御し、エネルギー効率のよい、除湿性能の安定した除湿装置を提供する。【選択図】図１
2006214708.tif 000002
【特許請求の範囲】
【請求項１】
冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、除湿対象空気を放熱器と加熱手段で加熱し、次に放湿部の放湿により加湿し、次に吸熱器の吸熱により冷却し、次に吸放湿手段の吸湿部の吸湿により除湿する構成にするとともに、前記放熱器の温度を検出する温度センサと、前記温度センサの検出した温度に基づいて前記加熱手段の加熱量を制御する加熱量制御部とを有する制御装置を備えたことを特徴とする除湿装置。
【請求項２】
冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、除湿対象空気を放熱器と加熱手段で加熱し、次に放湿部の放湿により加湿し、次に吸熱器の吸熱により冷却し、次に吸放湿手段の吸湿部の吸湿により除湿する構成にするとともに、前記吸熱器の温度を検出する温度センサと、前記温度センサの検出した温度に基づいて前記加熱手段の加熱量を制御する加熱量制御部とを有する制御装置とを備えたことを特徴とする除湿装置。
【請求項３】
制御装置は、放熱器の温度が所定の温度に達していないときには加熱量制御部が加熱手段の加熱量を増大し、放熱器の温度が所定温度を超えたときには加熱量制御部が加熱手段の加熱量を減少させる制御を行うことを特徴とする請求項１に記載の除湿装置。
【請求項４】
制御装置は、吸熱器の温度が所定の温度を下回るときには加熱量制御部が加熱手段の加熱量を増大し、その後、放熱器の温度が所定温度を超えたときには加熱量制御部が加熱手段の加熱量を減少させる制御を行うことを特徴とする請求項２に記載の除湿装置。
【請求項５】
制御装置は、冬季運転用の除湿スイッチを有し、前記スイッチが操作されたときは、制御装置の加熱量制御部が加熱手段の加熱量を増大させることを特徴とする請求項１もしくは２に記載の除湿装置。
【請求項６】
制御装置は、衣類乾燥用の除湿スイッチを有し、前記スイッチが操作されたときは、制御装置の加熱量制御部が加熱手段の加熱量を増大させることを特徴とする請求項１もしくは２に記載の除湿装置。
【請求項７】
制御装置は室内温度を検出する温度センサを有し、前記温度センサの検出した温度に基づいて加熱量制御部が加熱手段の加熱量を制御することを特徴とする請求項１もしくは２に記載の除湿装置。
【請求項８】
室内温度が所定値より低いときは加熱手段の加熱量を増大し、所定値より高いときは加熱手段の加熱量を減少するよう制御される請求項７に記載の除湿装置。
【請求項９】
制御装置は室内湿度を検出する湿度センサを有し、前記湿度センサの検出した湿度に基づいて加熱量制御部が加熱手段の加熱量を制御することを特徴とする請求項１もしくは２に記載の除湿装置。
【請求項１０】
室内湿度が所定値より低いときは加熱手段の加熱量を減少し、所定値より高いときは加熱手段の加熱量を増大するよう制御される請求項９に記載の除湿装置。
【請求項１１】
制御装置は加熱手段を強制的に動作させる強制加熱出力部を有することを特徴とする請求項１もしくは２に記載の除湿装置。
【請求項１２】
除湿装置の運転開始時に一定時間、強制加熱出力部が加熱手段を動作させるよう制御される請求項１１に記載の除湿装置。
【請求項１３】
除湿装置の運転開始後一定時間経過後に一定時間、強制加熱出力部が加熱手段を動作させるよう制御される請求項１１に記載の除湿装置。
【請求項１４】
強制加熱出力部から出力される加熱量を一定量に制御する請求項１２もしくは１３に記載の除湿装置。
【請求項１５】
強制加熱出力部から出力される加熱量を一定時間間隔で一定量／ゼロを繰り返す間欠運転制御を行う請求項１２もしくは１３に記載除湿装置。
【請求項１６】
強制加熱出力部から出力される加熱量を一定時間間隔で増減するように制御する請求項１２もしくは１３に記載の除湿装置。
【請求項１７】
制御装置は加熱手段の連続非加熱時間を記憶する連続非加熱時間記憶手段を有し、前記連続非加熱時間記憶手段に記憶された値に基づいて強制加熱の必要性を判断する請求項１１に記載の除湿装置。
【請求項１８】
制御装置は連続非加熱時間記憶手段に記憶された連続非加熱時間が所定値より大きい時は強制加熱が必要と判断する請求項１７に記載の除湿装置。
【請求項１９】
制御装置は人の有無を検出する人感センサを有し、前記人感センサが人を検知していない時は強制加熱可能と判断し、人を検知した時は強制加熱不可能と判断する請求項１８に記載の除湿装置。
【請求項２０】
加熱量制御部にて加熱手段が加熱された場合は強制加熱出力部による加熱手段の制御を停止するよう制御される請求項１９に記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放熱を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図８を参照しながら説明する。
【０００４】
図８に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作が為されることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に流出し、また、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放させた水分を含んだ高湿の循環空気１１０を吸熱器１０５において冷却して水分を飽和させることにより除湿するようにしている。従って循環空気１１０を放熱器１０３，放湿部１２１，吸熱器１０５に循環させる循環経路１１１を密閉性よく本体１０１内に形成する必要があり、装置構成が複雑化するという問題点があった。
【０００６】
そして循環経路１１１の密閉度が低い場合には、除湿対象空気１１６と循環空気１１０との湿度移行が発生して除湿効率が低下するという問題があった。
【０００７】
本発明は、上記課題を解決するものであり、循環経路１１１のない単純な構成で、効率のよい除湿が行える除湿装置を提供することを目的としている。
【課題を解決するための手段】
【０００８】
本発明の除湿装置は上記目的を達成するために、冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、かつ、前記放熱器の温度を検出する温度センサと、この温度センサの検出した温度に基づいて前記加熱手段の加熱量を制御する加熱量制御部とを有する制御装置を備えたものである。
【０００９】
この手段により、エネルギー効率のよい、除湿性能の安定した除湿装置を提供できる。
【００１０】
また、本発明の除湿装置は上記目的を達成するために、冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、かつ、前記吸熱器の温度を検出する温度センサと、この温度センサの検出した温度に基づいて前記加熱手段の加熱量を制御する加熱量制御部とを有する制御装置を備えたものである。
【００１１】
これにより、ヒートポンプを安全、かつ安定して作動でき、従って効率よく作動できる。
【００１２】
また、本発明の除湿装置は各種のセンサを備え、このセンサの検出データに基づき、加熱手段の加熱量を制御するようにしたものである。
【００１３】
これにより、エネルギー効率に優れた暖房や衣類乾燥機能を有する除湿装置を提供できる。
【００１４】
また、本発明の除湿装置は加熱手段を強制的に加熱する強制加熱出力部を備え、加熱手段を強制的に加熱するようにしたものである。
【００１５】
これにより、加熱手段のホコリ堆積による不具合を抑制する除湿装置を提供できる。
【発明の効果】
【００１６】
本発明によればエネルギー効率のよい除湿装置を提供できる。また、暖房や衣類乾燥にも利用できる多機能の除湿装置を提供できる。
【００１７】
さらに、加熱手段のホコリ堆積による不具合を抑制する除湿装置を提供できる。
【発明を実施するための最良の形態】
【００１８】
本発明の請求項１記載の発明は、冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、除湿対象空気を放熱器と加熱手段で加熱し、次に放湿部の放湿により加湿し、次に吸熱器の吸熱により冷却し、次に吸放湿手段の吸湿部の吸湿により除湿する構成にするとともに、放熱器の温度を検出する温度センサと、前記温度センサの検出した温度に基づいて加熱手段の加熱量を制御する加熱量制御部とを有する制御装置を備えたことを特徴としている。
【００１９】
以上のように構成することによりエネルギー効率のよい、除湿性能の安定した除湿装置を提供できる。
【００２０】
本発明の請求項２記載の発明は、冷媒を圧縮する圧縮機と冷媒が供給空気に対して放熱する放熱器と冷媒が膨張する膨張機構と供給空気から吸湿する吸湿部と供給空気に放湿する放湿部を有する吸放湿手段と、供給空気を加熱する加熱手段とを備え、除湿対象空気を放熱器と加熱手段で加熱し、次に放湿部の放湿により加湿し、次に吸熱器の吸熱により冷却し、次に吸放湿手段の吸湿部の吸湿により除湿する構成にするとともに、前記吸熱器の温度を検出する温度センサと、前記温度センサの検出した温度に基づいて前記加熱手段の加熱量を制御する加熱量制御部とを有する制御装置を備えたことを特徴としている。
【００２１】
以上のように構成することによりヒートポンプを安全に、かつ安定して作動でき、従って効率よく作動できる。
【００２２】
本発明の請求項３記載の発明は、請求項１の発明において、制御装置は、放熱器の温度が所定の温度に達していないときには加熱量制御部が加熱手段の加熱量を増大し、放熱器の温度が所定温度を超えたときには加熱量制御部が加熱手段の加熱量を減少させる制御を行うことを特徴としている。
【００２３】
以上のように構成することにより、除湿性能の最適化が図られ、かつ除湿のエネルギーの効率が向上する。
【００２４】
本発明の請求項４記載の発明は、請求項２の発明において、制御装置は、吸熱器の温度が所定の温度を下回るときには加熱量制御部が加熱手段の加熱量を増大し、その後、放熱器の温度が所定温度を超えたときには加熱量制御部が加熱手段の加熱量を減少させる制御を行うことを特徴としている。
【００２５】
以上のように構成することによりヒートポンプの動作が安定する。
【００２６】
本発明の請求項５記載の発明は、請求項１もしくは２の発明において、制御装置は、冬季運転用の除湿スイッチを有し、前記スイッチが操作されたときは、制御装置の加熱量制御部が加熱手段の加熱量を増大させることを特徴としている。
【００２７】
以上のようにすることにより除湿装置を暖房器として利用できる。
【００２８】
本発明の請求項６記載の発明は、請求項１もしくは２の発明において、制御装置は、衣類乾燥用の除湿スイッチを有し、前記スイッチが操作されたときは、制御装置の加熱量制御部が加熱手段の加熱量を増大させることを特徴としている。
【００２９】
以上のようにすることにより除湿装置を衣類乾燥機として利用できる。
【００３０】
本発明の請求項７記載の発明は、請求項１もしくは２の発明において、制御装置は室内温度を検出する温度センサを有し、前記温度センサの検出した温度に基づいて加熱量制御部が加熱手段の加熱量を制御する構成としている。
【００３１】
以上のようにすることにより快適な除湿空間を提供できる。
【００３２】
本発明の請求項８記載の発明は、請求項７の発明において、室内温度が所定値より低いときは加熱手段の加熱量を増大し、所定値より高いときは加熱手段の加熱量を減少するよう制御されるようにしている。
【００３３】
以上のようにすることによりエネルギー効率のよい除湿運転ができる。
【００３４】
本発明の請求項９記載の発明は、請求項１もしくは２の発明において、制御装置は室内湿度を検出する湿度センサを有し、前記湿度センサの検出した湿度に基づいて加熱量制御部が加熱手段の加熱量を制御する構成にしている。
【００３５】
以上のようにすることにより快適な除湿空間を提供できる。
【００３６】
本発明の請求項１０記載の発明は請求項９の発明において、室内湿度が所定値より低いときは加熱手段の加熱量を減少し、所定値より高いときは加熱手段の加熱量を増大するよう制御されるようにしている。
【００３７】
以上のようにすることによりエネルギー効率のよい除湿運転ができる。
【００３８】
本発明の請求項１１記載の発明は、請求項１もしくは２の発明において、制御装置は加熱手段を強制的に動作させる強制加熱出力部を有する構成にしている。
【００３９】
以上のようにすることにより加熱手段のホコリ堆積による不具合を抑制することができる。
【００４０】
本発明の請求項１２記載の発明は、請求項１１の発明において、除湿装置の運転開始時に一定時間、強制加熱出力部が加熱手段を動作させるよう制御する構成にしている。
【００４１】
以上のようにすることにより効率的に加熱手段のホコリ堆積による不具合を抑制することができる。
【００４２】
本発明の請求項１３記載の発明は、請求項１１の発明において、除湿装置の運転開始後一定時間経過後に一定時間、強制加熱出力部が加熱手段を動作させるよう制御する構成にしている。
【００４３】
以上のようにすることにより効率的に加熱手段のホコリ堆積による不具合を抑制することができる。
【００４４】
本発明の請求項１４記載の発明は、請求項１２もしくは１３の発明において、強制加熱出力部から出力される加熱量を一定量に制御する構成にしている。
【００４５】
以上のようにすることにより効率的に加熱手段のホコリ堆積による不具合を抑制することができる。
【００４６】
本発明の請求項１５記載の発明は、請求項１２もしくは１３の発明において、強制加熱出力部から出力される加熱量を一定時間間隔で一定量／ゼロを繰り返す間欠運転制御を行う構成にしている。
【００４７】
以上のようにすることにより効率的に加熱手段のホコリ堆積による不具合を抑制することができる。
【００４８】
本発明の請求項１６記載の発明は、請求項１２もしくは１３の発明において、強制加熱出力部から出力される加熱量を一定時間間隔で増減するように制御する構成にしている。
【００４９】
以上のようにすることにより効率的に加熱手段のホコリ堆積による不具合を抑制することができる。
【００５０】
本発明の請求項１７記載の発明は、請求項１１の発明において、制御装置は加熱手段の連続非加熱時間を記憶する連続非加熱時間記憶手段を有し、前記連続非加熱時間記憶手段に記憶された値に基づいて強制加熱の必要性を判断する構成にしている。
【００５１】
以上のようにすることにより効率的に加熱手段のホコリ堆積による不具合を抑制することができる。
【００５２】
本発明の請求項１８記載の発明は、請求項１７の発明において、制御装置は連続非加熱時間記憶手段に記憶された連続非加熱時間が所定値より大きい時は強制加熱が必要と判断する構成にしている。
【００５３】
以上のようにすることにより効率的に加熱手段のホコリ堆積による不具合を抑制することができる。
【００５４】
本発明の請求項１９記載の発明は、請求項１７の発明において、制御装置は人の有無を検出する人感センサを有し、前記人感センサが人を検知していない時は強制加熱可能と判断し、人を検知した時は強制加熱不可能と判断する構成にしている。
【００５５】
以上のようにすることにより加熱手段のホコリ堆積による不具合を抑制することにより居住者に不快感を及ぼさないようにしている。
【００５６】
本発明の請求項２０記載の発明は、請求項１９の発明において、加熱量制御部にて加熱手段が加熱された場合は強制加熱出力部による加熱手段の制御を停止するよう制御される構成にしている。
【００５７】
以上のようにすることにより加熱手段のホコリ堆積による不具合を抑制することにより除湿運転のエネルギー効率が低下しないようにしている。
【００５８】
以下、本発明の実施の形態について図面を参照しながら説明する。
【００５９】
（実施の形態１）
図１は、本発明の実施形態にかかる除湿装置の概略構成を示した図である。図１に示すように、除湿装置の本体１０１内に、冷凍サイクルを形成する圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７を充填している。また、本体１０１には吸込口１１２と吹出口１１３を開口し、送風ファン１の運転によって、吸込口１１２から除湿対象空気１１６と冷却対象空気２を本体１０１内に供給する構成としている。そして、本体１０１内に供給された除湿対象空気１１６が、放熱器１０３、加熱手段３、放湿部１２１、吸熱器１０５、吸湿部１２０に順に供給されて吹出口１１３より本体１０１外部に流出し、また、冷却対象空気２が、除湿対象空気１１６と同一方向から吸熱器１０５に供給されて除湿対象空気１１６とともに吸湿部１２０に供給された後、吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６および冷却対象空気２から吸熱することによってヒートポンプ１１８を作動させる構成となっている。
【００６０】
以上の構成において、除湿動作は次のように行われる。吸込口から流入した除湿対象空気１１６は放熱器１０３で加熱され、さらに加熱手段３で加熱される。さらに放湿部１２１からの放湿をうけて多湿空気となり次の吸熱器１０５において冷却され、一部は、水滴として除湿されさらに次の吸湿部において放湿して吹出口１１３より除湿空気として排出される。
【００６１】
この除湿装置では、隔壁を必要としない単純な構成であることに加えて、除湿対象空気を放熱器１０３で加熱される以上に加熱手段３で加熱することにより、吸湿部１２０に供給される除湿対象空気１１６と放湿部１２１に供給される除湿対象空気１１６との相対湿度差をさらに拡大することができるので、これにより吸放湿手段１１９の吸放湿量を増加して効率のよい除湿を行うことができる。吸放湿手段としては、湿度成分の吸湿と放湿ができるものであれば良く、吸放湿剤であるゼオライト、シリカゲル等がある。
【００６２】
図２は、本発明の実施形態にかかる除湿装置の制御装置４の構成を示した図である。図２（ａ）は制御装置４の構成を示し、図２（ｂ）は操作パネル５の外観を示している。この制御装置４と操作パネル５は図１の本体１０１の上部に取り付けられている。
【００６３】
ＣＰＵ（中央処理装置）８の入力部の一つに操作スイッチ６がＣＰＵ８の出力部の一つに表示部７が接続されている。この両者の詳細を図２（ｂ）に示している。図に示すように操作部６は電源スイッチ６ａ、通常の除湿運転スイッチ６ｂ、冬季の除湿運転スイッチ６ｃ、衣類乾燥運転スイッチ６ｄで構成し、また表示部７は操作部のそれぞれのスイッチに対応した表示灯７ａ、７ｂ、７ｃ、７ｄを有している。
【００６４】
またＣＰＵ８の他の出力部にはヒータなどの加熱手段３の加熱量を制御するための加熱量制御部９と圧縮機１０２を駆動する圧縮機駆動部１０と吸放湿手段１１９を制御する吸放湿手段駆動部１１および送風ファン１を駆動するファン駆動部１２がそれぞれ接続されている。ここで、加熱量制御部９は、たとえば、サイリスタと呼ばれる半導体素子を用いて商用電源の導通位相を制御し加熱手段３たとえばヒータの加熱量を制御する手段が採用される。また、圧縮機駆動部１０はモータであり、電磁継電器（リレー）、半導体素子等が採用される。吸放湿手段駆動部１１とファン駆動部１２も同様にモータであり、リレー、半導体素子等が採用される。
【００６５】
またＣＰＵ８の他の入力部には、図１に示すように放熱器１０３に近接して設けた放熱器用温度センサ１３、吸熱器１０５に近接して設けた吸熱器用温度センサ１４、吸込口１１２に設けた室温センサ１５と湿度センサ１６がそれぞれ接続されている。ＣＰＵ８は説明した入力部の情報に基づいて出力部を制御するが、その制御内容はマイコンとＲＯＭ、ＲＡＭなどを協働させるプログラムの形態で実施されている。温度センサとしてはサーミスタ、熱電対等があり、湿度センサとしては、高分子湿度センサ等がある。
【００６６】
以下、図３と図４を用いて制御装置４の動作を説明する。
【００６７】
図３は通常の除湿運転の動作を説明するためのフローチャートである。
【００６８】
ステップ１（以下ステップをＳと略記）において、電源スイッチ６ａが押されると表示灯７ａが点灯し除湿装置はスタンバイ状態になる。次にＳ２において通常の除湿運転スイッチ６ｂが押されると表示灯７ｂが点灯し、続いて圧縮機１０２と吸放湿手段１１９、送風ファン１が駆動される。Ｓ３において放熱器用温度センサ１３は放熱器１０３の温度を計測しているが、設定下限値（たとえば４０℃）以下であり、これをうけて加熱量制御部９は加熱量大でヒータを駆動する（Ｓ４）。＿＿加熱量を大にした結果、放熱器１０３の温度が上昇し設定上限値（たとえば７０℃）を越えるとヒータは加熱量を小で駆動される（Ｓ５およびＳ６）。加熱量を小にした結果、放熱器１０３の温度が低下して設定下限値を下回わった場合はＳ３の判定で再びヒータは加熱量大で駆動される。このような動作を繰り返すが通常は加熱量小でヒータが加熱されるよう設計されており、除湿目的が達せられるとＳ１１で電源スイッチ６ａを押すことで除湿動作を終了させることができる。
【００６９】
しかし，除湿対象空気１１６の温度低下や湿度低下の理由で吸熱器１０５の温度が所定値を下回わった場合は、次のＳ７のモードに移行する。
【００７０】
吸熱器１０５は通常は１０℃〜１５℃程度で運転するよう設計されるが、吸熱器１０５の温度が低下して設定下限値（たとえば５℃）を切ると（Ｓ７）ヒータは加熱量大で駆動され（Ｓ８）、その結果吸熱器１０５の温度が上昇して設定上限値（たとえば１０℃）を越えると（Ｓ９）ヒータは加熱量小で駆動される（Ｓ１０）。
【００７１】
図４（ａ）は冬季の除湿運転の動作を説明するフローチャートである。
【００７２】
Ｓ２１においては図３のＳ１と同様であるので説明を省略する。
【００７３】
Ｓ２２において冬季の除湿運転スイッチ６ｃが押されると表示灯７ｃが点灯し、図３と同様に圧縮機以下が駆動され、除湿運転が始まるが、このときヒータは無条件に加熱量大で駆動される（Ｓ２３）。室温センサが温度を監視しており、時間が経過し室温が上昇して設定温度（たとえば２０℃）を越えると（Ｓ２４）、ヒータは加熱量小で駆動される（Ｓ２５）。しばらくは加熱量小で駆動されるが、室温が低下して設定温度（たとえば１８℃）（Ｓ２６）を切ると再びヒータが加熱量大で駆動される（Ｓ２６からＳ２３へ）。このような動作を繰り返し、除湿が進行するとともに、室内の温度が一定に保たれる。すなわちこの運転モードは暖房運転であり、暖房器として除湿装置が利用できる。
【００７４】
図４（ｂ）は衣類乾燥の除湿運転の動作を説明するフローチャートである。
【００７５】
Ｓ３１は図３のＳ１と同様であるので説明を省略する。
【００７６】
Ｓ３２において衣類乾燥運転スイッチ６ｄが押されると表示灯７ｄが点灯し、図３と同様に圧縮機以下が駆動され、除湿運転が始まるが、このときヒータの駆動条件は湿度センサ１６が検知する室内湿度によって決まる。Ｓ３３において室内湿度が設定湿度（たとえば７０％ＲＨ）以下であればヒータは加熱量小で駆動され（Ｓ３６）、以上であればヒータは加熱量大で駆動される（Ｓ３４）。乾燥が進行して室内湿度が低下し第２の設定湿度（たとえば６０％ＲＨ）を切るとヒータは加熱量小で駆動される。このようにして衣類乾燥が進行し、Ｓ３７で電源スイッチ６ａを押すことで衣類乾燥運転を停止する。この衣類乾燥運転においては気候（雨期など）と乾燥負荷（被乾燥物の量や湿り具合）に応じた除湿能力で除湿装置が自動的に運転できる特徴がある。
【００７７】
以上本実施の形態で説明したように本発明の除湿装置は、構成が簡単で、除湿効率のよい除湿装置を提供でき。ヒートポンプを安定動作できるからエネルギー効率も向上し、かつ、センサの活用等によって、エネルギー効率のよい暖房、衣類乾燥にも利用できる多機能の除湿装置を提供することができる。
【００７８】
なお、本実施の形態では、加熱手段３の加熱量の制御方法として、サイリスタによる位相制御としているが、他の方法、たとえば加熱手段に複数のヒータを用い、このヒータをリレー等で切り替える方法でもよい。
【００７９】
また、図４（ａ）で説明した冬季の除湿運転において、室温センサを用いて設定温度を２０℃に制御する動作を説明したが、設定温度は固定である必要はなく、制御装置に調節部を設けて可調節にしてもよい。
【００８０】
また、図４（ｂ）で説明した衣類乾燥運転において、設定湿度を固定で説明したが、これも同様に可調節型にしてもよく、また、所定の湿度に到達したら自動的に運転を停止するように制御装置のプログラムに設定してもよい。
【００８１】
（実施の形態２）
図５は、本発明の実施形態にかかる除湿装置の制御装置４の構成を示した図である。なお、除湿装置の概略構成は実施の形態１と同一であるので説明は省略する。
【００８２】
また、図５においても実施の形態１と同一の物については同一の符号を記し説明は省略する。図５に示すようにＣＰＵ８の出力部にはヒータなどの加熱手段３を強制的に動作させるための強制加熱出力部１７が接続されている。
【００８３】
また、入出力部として連続非加熱時間記憶手段１８が接続されておりＣＰＵ８は加熱量制御部９および強制加熱出力部１７から加熱手段３に対して加熱出力を出していない時間をカウントし連続非加熱時間記憶手段１８出力し、加熱量制御部９および強制加熱出力部１７から加熱手段３に対して加熱出力を出した時には連続非加熱時間記憶手段１８の値をクリアしている。
【００８４】
ここで、強制加熱出力部１７は加熱量制御部９と同様に、たとえば、サイリスタと呼ばれる半導体素子を用いて商用電源の導通位相を制御し加熱手段３たとえばヒータの加熱量を制御する手段が採用される。
【００８５】
また、連続非加熱時間記憶手段１８は、たとえばフラッシュＲＯＭのように書き換え可能で除湿装置の元電源が切られ除湿装置への電源供給が停止した場合でも内容が保存される記憶媒体を用いる。
【００８６】
なお、この連続非加熱時間記憶手段１８の値はＣＰＵ８が強制加熱出力部１７の制御を行う時に使用する。
【００８７】
以下図６および図７を用いて強制加熱出力部１７の動作を説明する。
【００８８】
図６は強制加熱出力部１７の動作を説明するフローチャートである。
【００８９】
Ｓ４１において、電源スイッチ６ａが押されると連続非加熱時間記憶手段１８に記憶された連続非加熱時間ＴＳが設定値（たとえば１０日）以下の場合は強制加熱出力をおこなわずに動作を終了するが、連続非加熱時間ＴＳが設定値を超えている場合は人感センサ１９たとえば赤外線センサが人間を検知したかの判断を行い（Ｓ４３）人間を検知していない場合はヒータの加熱を実行し（Ｓ４４）、人間を検知した場合はヒータの加熱を停止する（Ｓ４５）。
【００９０】
ヒータの加熱方法は
（１）一定発熱量で常時加熱する方法
（２）一定時間間隔で間欠加熱する方法
（３）一定時間間隔で最大発熱量になるまで一定量増加させ、その後は一定時間間隔で
ゼロになるまで一定量減少させる方法
などを採用する。
【００９１】
なお、人感センサ１９はたとえば本体１０１の上部あるいは表面のように除湿装置の近くに人がいるのを正確に検知できる個所に取り付けられている。
【００９２】
Ｓ４３からＳ４５の動作は加熱量制御部９より加熱要求があった場合（Ｓ４６）あるいは加熱時間ＴＯが設定値（例えば１０分）に達した場合（Ｓ４７）に終了し、強制加熱出力部１７の動作が完了する。
【００９３】
図７は図６に対して機能を追加（Ｓ５１を追加）した強制加熱出力部１７の動作を説明するフローチャートである。
【００９４】
Ｓ５１を追加することにより電源スイッチ６ａが押されて直ちに強制加熱出力動作を行うのではなく待ち時間ＴＷ（例えば５分）が経過した後に強制加熱出力動作を行うこととなる。
【００９５】
以上本実施の形態で説明したように本発明の除湿装置は、加熱手段を長期間加熱しない場合に加熱手段を強制的に過熱することにより加熱手段に堆積するホコリを除去し、加熱手段のホコリ堆積による不具合を抑制することができる。
【００９６】
また、加熱手段を強制的に過熱することは人感センサが人を検知した場合は行わないので除湿装置の近くにいる人に不快感を与えない。
【００９７】
さらに加熱手段を強制的に過熱することは加熱量制御部からの過熱要求が発生した場合には直ちに終了するので除湿運転のエネルギー効率が低下することはない。
【００９８】
さらに電源スイッチを押してから待ち時間をおいて強制加熱出力動作が行われるので除湿装置の制御動作が不安定な時に誤った判断により強制加熱を行うことはない。
【００９９】
なお、図６で説明した強制加熱出力部１７の動作においては、連続非加熱時間設定値を１０日、加熱時間設定値を１０分、待ち時間設定値を５分として動作を説明したが、設定値は固定である必要はなく、制御装置に調節部を設けて可調節にしてもよい。
【産業上の利用可能性】
【０１００】
本発明の除湿装置は、隔壁のないシンプルな構造で効率の良い除湿が行え、また暖房や衣類乾燥にも利用できるもので家庭用はもとより業務用の除湿装置としても利用できる。
【図面の簡単な説明】
【０１０１】
【図１】本発明の実施の形態１の除湿装置の概略構成を示す図
【図２】同制御装置の電気系の回路図
【図３】同制御装置の通常の除湿運転の動作を説明するためのフローチャート
【図４】同制御装置の除湿運転の動作を説明するためのフローチャート
【図５】本発明の実施の形態２の除湿装置の制御装置の電気系の回路図
【図６】同制御装置の強制加熱出力部の動作を説明するためのフローチャート
【図７】同制御装置の強制加熱出力部の動作を説明するためのフローチャート
【図８】従来の除湿装置の概略構成を示す図
【符号の説明】
【０１０２】
３  加熱手段
４  制御装置
５  操作パネル
６  操作スイッチ
７  表示部
８  ＣＰＵ
９  加熱量制御部
１０  圧縮機駆動部
１１  吸放湿手段駆動部
１２  ファン駆動部
１３  放熱器用温度センサ
１４  吸熱器用温度センサ
１５  室温センサ
１６  湿度センサ
１７  強制加熱出力部
１８  連続非加熱時間記憶手段
１９  人感センサ
１０１  本体
１０２  圧縮機
１０３  放熱器
１０４  膨張機構
１０５  吸熱器
１１２  吸込口
１１３  吹出口
１１７  冷媒
１１８  ヒートポンプ
１１９  吸放湿手段
１２０  吸湿部
１２１  放湿部
【図１】
2006214708.tif 000003
【図２】
2006214708.tif 000004
【図３】
2006214708.tif 000005
【図４】
2006214708.tif 000006
【図５】
2006214708.tif 000007
【図６】
2006214708.tif 000008
【図７】
2006214708.tif 000009
【図８】
2006214708.tif 000010